(57)【特許請求の範囲】
【請求項１】
建物における基礎、床または壁からなる構造体を、保護管内に挿通されてその保護管とともに配線・配管材が貫通する貫通部からの、シロアリの侵入を防止する、防蟻構造であって、
前記保護管は、防蟻成分を含有する合成樹脂により形成されてなり、
防蟻成分を含有し、建物内において、前記保護管の外周面を被うように取り付けられる第１防蟻具と、
防蟻成分を含有し、前記保護管内にあって前記配線・配管材の外周面に装着される、第２防蟻具とを、備え、
前記第１防蟻具は、防蟻成分を含有する材料により形成された筒状基体を備え、その筒状基体は、前記保護管に嵌まるようその保護管の外径に対応する内径を有する筒状に形成され、一方の端面が前記構造体の表面に当接するようにして前記保護管に嵌められて取り付け設置され、
前記第２防蟻具は、防蟻成分を含有するとともにクッション性を有する材料により形成され、その第２防蟻具が、前記保護管内に圧縮して装着されて、前記配線・配管材の外周面と前記保護管の内周面との間を閉塞している、配線・配管材貫通部の防蟻構造。
【請求項２】
前記第２防蟻具は、防蟻成分を含有する不織布からなる、請求項１に記載の配線・配管材貫通部の防蟻構造。
【請求項３】
前記筒状基体は、防蟻成分を含有するゴムにより形成される、請求項１または２に記載の配線・配管材貫通部の防蟻構造。
【請求項４】
建物における基礎、床または壁からなる構造体を、保護管内に挿通されてその保護管とともに配線・配管材が貫通する貫通部からの、シロアリの侵入を防止する、防蟻構造であって、
前記保護管は、防蟻成分を含有する合成樹脂により形成されてなり、
防蟻成分を含有し、建物内において、前記保護管の外周面を被うように取り付けられる第１防蟻具と、
防蟻成分を含有し、前記保護管内にあって前記配線・配管材の外周面に装着される、第２防蟻具とを、備え、
前記第１防蟻具は、防蟻成分を含有する材料により形成された筒状基体を備え、その筒状基体は、前記保護管に嵌まるようその保護管の外径に対応する内径を有する筒状に形成され、一方の端面が前記構造体の表面に当接するようにして前記保護管に嵌められて取り付け設置され、
前記第２防蟻具は、前記配線・配管材の外周面と前記保護管の内周面との間を閉塞するように装着され、
前記第２防蟻具が前記保護管の内周面に保持された状態で、前記配線・配管材がその長手方向に移動可能となるよう、前記第２防蟻具の外周面と前記保護管の内周面とが接触することによるそれら第２防蟻具と保護管との前記長手方向への相対移動の抵抗が、前記第２防蟻具の内周面と前記配線・配管材の外周面とが接触することによるそれら第２防蟻具と配線・配管材との前記長手方向への相対移動の抵抗よりも大となる、配線・配管材貫通部の防蟻構造。
【請求項５】
建物における基礎、床または壁からなる構造体を、保護管内に挿通されてその保護管とともに配線・配管材が貫通する貫通部からの、シロアリの侵入を防止する、防蟻構造であって、
前記保護管は、防蟻成分を含有する合成樹脂により形成されてなり、
防蟻成分を含有し、建物内において、前記保護管の外周面を被うように取り付けられる第１防蟻具と、
防蟻成分を含有し、前記保護管内にあって前記配線・配管材の外周面に装着される、第２防蟻具とを、備え、
前記第１防蟻具は、防蟻成分を含有する材料により形成された筒状基体を備え、その筒状基体は、前記保護管に嵌まるようその保護管の外径に対応する内径を有する筒状に形成され、一方の端面が前記構造体の表面に当接するようにして前記保護管に嵌められて取り付け設置され、
前記第２防蟻具と前記配線・配管材との間に、前記第２防蟻具の防蟻成分が前記配線・配管材に移行するのを防止するシート材が配置される、配線・配管材貫通部の防蟻構造。
【発明の詳細な説明】
【技術分野】
【０００１】
この発明は、建物における基礎、床または壁からなる構造体を配線・配管材が貫通する配線・配管材貫通部の防蟻構造に関するものである。
【背景技術】
【０００２】
従来、建物の基礎等を配線・配管材が貫通する貫通部からは、シロアリが侵入する虞があることから、その貫通部からのシロアリの侵入を防止する防蟻構造が考えられた（例えば、特許文献１参照）。図９に示されるように、この防蟻構造２１は、配線・配管材２２が保護管２３内に挿通されて土間スラブ２４を貫通するのに対し、その貫通部分に、内部に防蟻剤２５が充填された防蟻剤バケット２６を埋設したものであった。すなわち、防蟻剤バケット２６が、土間スラブ２４を貫通するようにして埋設固定され、保護管２３が、防蟻剤バケット２６に接続されて土間スラブ２４の上下両側にそれぞれ延設された。そして、配線・配管材２２が、防蟻材バケット２６を介して、上下両側の保護管２２、２２に挿通された。
【先行技術文献】
【特許文献】
【０００３】
【特許文献１】特開２００１−４０７９０号公報
【発明の概要】
【発明が解決しようとする課題】
【０００４】
しかし、前記従来の防蟻構造２１にあっては、防蟻剤バケット２６を土間スラブ２４に埋設することから、後付けで防蟻剤バケット２６を設置することができず、また、保護管２３の外周面上を伝って侵入するシロアリに関しては対応が十分とはいえなかった。
【０００５】
この発明は、上記した従来の欠点を解決するためになされたものであり、その目的とするところは、後付けすることができ、かつ、シロアリの侵入を的確に防止することができる、配線・配管材貫通部の防蟻構造を提供することにある。
【課題を解決するための手段】
【０００６】
この発明に係る配線・配管材貫通部の防蟻構造は、前記目的を達成するために、次の構成からなる。すなわち、
請求項１に記載の発明に係る配線・配管材貫通部の防蟻構造は、建物における基礎、床または壁からなる構造体を、保護管内に挿通されてその保護管とともに配線・配管材が貫通する貫通部からの、シロアリの侵入を防止する、防蟻構造である。ここにおいて、前記保護管は、防蟻成分を含有する合成樹脂により形成されてなる。そして、防蟻構造は、防蟻成分を含有し、建物内において、前記保護管の外周面を被うように取り付けられる第１防蟻具と、防蟻成分を含有し、前記保護管内にあって前記配線・配管材の外周面に装着される、第２防蟻具とを、備える。ここで、前記第１防蟻具は、防蟻成分を含有する材料により形成された筒状基体を備え、その筒状基体は、前記保護管に嵌まるようその保護管の外径に対応する内径を有する筒状に形成され、一方の端面が前記構造体の表面に当接するようにして前記保護管に嵌められて取り付け設置される。前記第２防蟻具は、防蟻成分を含有するとともにクッション性を有する材料により形成され、その第２防蟻具が、前記保護管内に圧縮して装着されて、前記配線・配管材の外周面と前記保護管の内周面との間を閉塞している。
【０００７】
この防蟻構造によると、第１防蟻具は、防蟻成分を含有し、構造体を貫通する保護管に対し、建物内において、保護管の外周面を被うように取り付けられる。この第１防蟻具は、防蟻成分を含有する材料により形成された筒状基体を備え、筒状基体は、筒の一方の端面が構造体の表面に当接するようにして保護管に嵌められる。これにより、第１防蟻具は、構造体の形成後に取り付ける、つまり後付けすることができる。そして、保護管自身が、防蟻成分を含有する合成樹脂により形成されているため、シロアリが、保護管の外周面上とか内周面上を通って侵入し難く、また、保護管を食い破ってその内外周面間を行き来し難い。ここで、仮に、シロアリが、保護管と構造体との境界部分を通って侵入しようとしても、第１防蟻具における筒状基体が妨げとなり、シロアリのそれ以上の進行を防ぐことができる。また、第２防蟻具は、防蟻成分を含有し、保護管内において、配線・配管材の外周面に装着される。これにより、第２防蟻具は、構造体の形成後に取り付ける、つまり後付けすることができる。そして、シロアリが、保護管内において、配線・配管材の外周面上を通って侵入しようとする場合には、その保護管内にある第２防蟻具が妨げとなり、シロアリのそれ以上の進行を防ぐことができる。このようにして、第１防蟻具が、建物内において保護管の外周面に取り付けられ、第２防蟻具が、保護管内に装着されることで、これら第１および第２防蟻具を後付けすることができ、かつ、これら第１および第２防蟻具、並びに防蟻成分を含有する保護管により、シロアリの侵入を的確に防止することができる。しかも、第２防蟻具は、防蟻成分を含有するとともにクッション性を有する材料により形成され、その第２防蟻具が、圧縮して装着されて、配線・配管材の外周面と保護管の内周面との間を閉塞している。こうすることで、保護管内を進行するシロアリが第２防蟻具を越えて進むことを確実に防ぐことができる。
【０００８】
また、請求項２に記載の発明に係る配線・配管材貫通部の防蟻構造は、請求項１に記載の防蟻構造において、前記第２防蟻具は、防蟻成分を含有する不織布からなる。
【０００９】
また、請求項３に記載の発明に係る配線・配管材貫通部の防蟻構造は、請求項１または２に記載の防蟻構造において、前記筒状基体は、防蟻成分を含有するゴムにより形成される。
【００１０】
【００１１】
【００１２】
【００１３】
また、請求項４に記載の発明に係る配線・配管材貫通部の防蟻構造は、建物における基礎、床または壁からなる構造体を、保護管内に挿通されてその保護管とともに配線・配管材が貫通する貫通部からの、シロアリの侵入を防止する、防蟻構造である。ここにおいて、前記保護管は、防蟻成分を含有する合成樹脂により形成されてなる。そして、防蟻構造は、防蟻成分を含有し、建物内において、前記保護管の外周面を被うように取り付けられる第１防蟻具と、防蟻成分を含有し、前記保護管内にあって前記配線・配管材の外周面に装着される、第２防蟻具とを、備える。ここで、前記第１防蟻具は、防蟻成分を含有する材料により形成された筒状基体を備え、その筒状基体は、前記保護管に嵌まるようその保護管の外径に対応する内径を有する筒状に形成され、一方の端面が前記構造体の表面に当接するようにして前記保護管に嵌められて取り付け設置される。前記第２防蟻具は、前記配線・配管材の外周面と前記保護管の内周面との間を閉塞するように装着され、前記第２防蟻具が前記保護管の内周面に保持された状態で、前記配線・配管材がその長手方向に移動可能となるよう、前記第２防蟻具の外周面と前記保護管の内周面とが接触することによるそれら第２防蟻具と保護管との前記長手方向への相対移動の抵抗が、前記第２防蟻具の内周面と前記配線・配管材の外周面とが接触することによるそれら第２防蟻具と配線・配管材との前記長手方向への相対移動の抵抗よりも大となっている。
この防蟻構造によると、第１防蟻具は、防蟻成分を含有し、構造体を貫通する保護管に対し、建物内において、保護管の外周面を被うように取り付けられる。この第１防蟻具は、防蟻成分を含有する材料により形成された筒状基体を備え、筒状基体は、筒の一方の端面が構造体の表面に当接するようにして保護管に嵌められる。これにより、第１防蟻具は、構造体の形成後に取り付ける、つまり後付けすることができる。そして、保護管自身が、防蟻成分を含有する合成樹脂により形成されているため、シロアリが、保護管の外周面上とか内周面上を通って侵入し難く、また、保護管を食い破ってその内外周面間を行き来し難い。ここで、仮に、シロアリが、保護管と構造体との境界部分を通って侵入しようとしても、第１防蟻具における筒状基体が妨げとなり、シロアリのそれ以上の進行を防ぐことができる。また、第２防蟻具は、防蟻成分を含有し、保護管内において、配線・配管材の外周面に装着される。これにより、第２防蟻具は、構造体の形成後に取り付ける、つまり後付けすることができる。そして、シロアリが、保護管内において、配線・配管材の外周面上を通って侵入しようとする場合には、その保護管内にある第２防蟻具が妨げとなり、シロアリのそれ以上の進行を防ぐことができる。このようにして、第１防蟻具が、建物内において保護管の外周面に取り付けられ、第２防蟻具が、保護管内に装着されることで、これら第１および第２防蟻具を後付けすることができ、かつ、これら第１および第２防蟻具、並びに防蟻成分を含有する保護管により、シロアリの侵入を的確に防止することができる。しかも、第２防蟻具は、配線・配管材の外周面と保護管の内周面との間を閉塞するように装着される。こうすることで、保護管内を進行するシロアリが第２防蟻具を越えて進むことを確実に防ぐことができる。さらに、第２防蟻具の外周面と保護管の内周面とが接触することによるそれら第２防蟻具と保護管との長手方向への相対移動の抵抗が、第２防蟻具の内周面と配線・配管材の外周面とが接触することによるそれら第２防蟻具と配線・配管材との長手方向への相対移動の抵抗よりも大となっている。これにより、配線・配管材がその長手方向に移動しても、第２防蟻具は、移動することがなく、このため、その第２防蟻具を保護管内の所定の位置に保持したまま、配線・配管材の配設作業を行なうことができる。
【００１４】
また、請求項５に記載の発明に係る配線・配管材貫通部の防蟻構造は、建物における基礎、床または壁からなる構造体を、保護管内に挿通されてその保護管とともに配線・配管材が貫通する貫通部からの、シロアリの侵入を防止する、防蟻構造である。ここにおいて、前記保護管は、防蟻成分を含有する合成樹脂により形成されてなる。そして、防蟻構造は、防蟻成分を含有し、建物内において、前記保護管の外周面を被うように取り付けられる第１防蟻具と、防蟻成分を含有し、前記保護管内にあって前記配線・配管材の外周面に装着される、第２防蟻具とを、備える。ここで、前記第１防蟻具は、防蟻成分を含有する材料により形成された筒状基体を備え、その筒状基体は、前記保護管に嵌まるようその保護管の外径に対応する内径を有する筒状に形成され、一方の端面が前記構造体の表面に当接するようにして前記保護管に嵌められて取り付け設置される。そして、前記第２防蟻具と前記配線・配管材との間に、前記第２防蟻具の防蟻成分が前記配線・配管材に移行するのを防止するシート材が配置される。
この防蟻構造によると、第１防蟻具は、防蟻成分を含有し、構造体を貫通する保護管に対し、建物内において、保護管の外周面を被うように取り付けられる。この第１防蟻具は、防蟻成分を含有する材料により形成された筒状基体を備え、筒状基体は、筒の一方の端面が構造体の表面に当接するようにして保護管に嵌められる。これにより、第１防蟻具は、構造体の形成後に取り付ける、つまり後付けすることができる。そして、保護管自身が、防蟻成分を含有する合成樹脂により形成されているため、シロアリが、保護管の外周面上とか内周面上を通って侵入し難く、また、保護管を食い破ってその内外周面間を行き来し難い。ここで、仮に、シロアリが、保護管と構造体との境界部分を通って侵入しようとしても、第１防蟻具における筒状基体が妨げとなり、シロアリのそれ以上の進行を防ぐことができる。また、第２防蟻具は、防蟻成分を含有し、保護管内において、配線・配管材の外周面に装着される。これにより、第２防蟻具は、構造体の形成後に取り付ける、つまり後付けすることができる。そして、シロアリが、保護管内において、配線・配管材の外周面上を通って侵入しようとする場合には、その保護管内にある第２防蟻具が妨げとなり、シロアリのそれ以上の進行を防ぐことができる。このようにして、第１防蟻具が、建物内において保護管の外周面に取り付けられ、第２防蟻具が、保護管内に装着されることで、これら第１および第２防蟻具を後付けすることができ、かつ、これら第１および第２防蟻具、並びに防蟻成分を含有する保護管により、シロアリの侵入を的確に防止することができる。
【発明の効果】
【００１５】
この発明に係る配線・配管材貫通部の防蟻構造によれば、第１防蟻具が、建物内において保護管の外周面に取り付けられ、第２防蟻具が、保護管内に装着されることで、これら第１および第２防蟻具を後付けすることができ、かつ、これら第１および第２防蟻具、並びに防蟻成分を含有する保護管により、シロアリの侵入を的確に防止することができる。
【図面の簡単な説明】
【００１６】
【図１】この発明の第一の実施の形態の、防蟻構造を示す断面図である。
【図２】同じく、筒状基体の正面図である。
【図３】同じく、筒状基体の平面図である。
【図４】同じく、図３におけるＡ−Ａ線による断面図である。
【図５】この発明の第二の実施の形態の、防蟻構造を示す断面図である。
【図６】この発明の第三の実施の形態の、防蟻構造を示す断面図である。
【図７】この発明の他の実施の形態の、防蟻構造を示す断面図である。
【図８】この発明のさらに他の実施の形態の、防蟻構造を示す断面図である。
【図９】従来の防蟻構造を示す断面図である。
【発明を実施するための形態】
【００１７】
以下、この発明に係る配線・配管材貫通部の防蟻構造を実施するための形態を図面に基づいて説明する。
【００１８】
図１〜図４は、本発明の第一の実施の形態を示す。図中符号１は、建物の基礎を示す。２は、配線・配管材（配線材または配管材）を示す。３は、前記配線・配管材２を保護する保護管を示す。４は、配線・配管材貫通部の防蟻構造を示し、この防蟻構造４は、前記基礎１を、前記保護管３内に挿通されてその保護管３とともに前記配線・配管材２が貫通する貫通部からの、シロアリの進入を防止するものである。
【００１９】
防蟻構造４は、防蟻成分を含有し、建物内において、保護管３の外周面を被うように取り付けられる第１防蟻具５と、防蟻成分を含有し、保護管３内にあって配線・配管材２の外周面に装着される、第２防蟻具８とを、備える。ここで、第１防蟻具５は、防蟻成分を含有する材料により形成された筒状基体６を備える。この筒状基体６は、保護管３に嵌まるようその保護管３の外径に対応する内径を有する筒状に形成され、一方の端面６ａが基礎１の表面に当接するようにして保護管３に嵌められて取り付け設置される。
【００２０】
また、第２防蟻具８は、保護管３内において、第１防蟻具５が取り付けられた位置と重なる位置に、配線・配管材２の外周面と保護管３の内周面との間を閉塞するように装着される。そして、第２防蟻具８が保護管３の内周面に保持された状態で、配線・配管材２がその長手方向Ｐに移動可能となるよう、第２防蟻具８の外周面と保護管３の内周面とが接触することによるそれら第２防蟻具８と保護管３との前記長手方向Ｐへの相対移動の抵抗が、第２防蟻具８の内周面と配線・配管材２の外周面とが接触することによるそれら第２防蟻具８と配線・配管材２との前記長手方向Ｐへの相対移動の抵抗よりも大となっている。
【００２１】
具体的には、基礎１は、コンクリート製であって、例えば、床下に設置される底盤からなる。そして、配線・配管材２は、配線材としては、電力用の線とか通信用の線等であったりし、また、配管材としては、給水管とか排水管等であったりする。
【００２２】
保護管３は、自在に屈曲可能な波付管からなるが、この波付管は、凹凸が環状に形成された平行波付管であるのが好ましい。もっとも、保護管３は、波付管に限る必要はなく、平滑管であってもよい。この保護管３は、基礎１および筒状基体６を貫通し、建物内において筒状基体６から若干突出して延びる。そして、前記配線・配管材２は、保護管３内に挿通され、建物内において保護管３から露出するように配設される。
【００２３】
第１防蟻具５は、前記筒状基体６からなる。この筒状基体６は、前述したように防蟻成分を含有する材料（例えば、防蟻成分を含有する、エチレンプロピレンゴム等のゴム）により形成されるが、その防蟻成分としては、例えば、ピレスロイド系剤、有機リン剤、カーバメント剤、ホウ素化合物、フッ素化合物などが挙げられ、これら防蟻成分を適宜選択し、また、その含有率を調整することで、筒状基体６は、シロアリを忌避する忌避機能を備えたり、シロアリを殺虫する殺虫機能を備えたりする。
【００２４】
この筒状基体６は、筒状基体６の内周面６ｂの軸方向寸法６ｕが、筒状基体６と保護管３との境界部分を進むシロアリの歩行限界距離よりも長く形成され、かつ、筒状基体６は、筒状基体６の前記一方の端面６ａの内外周間寸法６ｖが、筒状基体６と基礎１との境界部分を進むシロアリの歩行限界距離よりも長く形成され、また、筒状基体６は、その筒状基体６の内周面６ｂと前記一方の端面６ａとの交わるコーナー６ｃから、前記一方の端面６ａとは反対側の他方の端面６ｄおよび外周面６ｅまでの寸法６ｗが、その間を筒状基体６の内部を進むシロアリの歩行限界距離よりも長く形成される。
【００２５】
詳細には、筒状基体６は、前記一方の端面６ａ側が径大となり前記他方の端面６ｄ側が径小となる段付き環状形状をしている。そして、筒状基体６は、他方の端面６ｄ側が弧状に湾曲して形成されている。また、この筒状基体６の一方の端面６ａには、基礎１との間に隙間を形成するように窪む第１凹部６ｆが形成され、同様に、筒状基体６の内周面６ｂには、保護管３との間に隙間を形成するように窪む第２凹部６ｇが形成されている。そして、これら第１および第２凹部６ｆ、６ｇは、防蟻成分を含有する隙間材６ｈ、例えばブチルゴム等で埋められる。こうして、筒状基体６は、隙間材６ｈを有し、この隙間材６ｈを含めて、前記軸方向寸法６ｕ、内外周間寸法６ｖ、並びにコーナー６ｃから他方の端面６ｄおよび外周面６ｅまでの寸法６ｗが測られる。
【００２６】
そして、筒状基体６には、周方向を分断するように、内外を貫通するとともに軸方向全体に延びる、スリット６ｉが設けられている（図２、図３参照）。そこで、筒状基体６がゴムにより形成されることから、このスリット６ｉを広げることができ、保護管３への筒状基体６の取付けにあたっては、筒状基体６を、その広がったスリット６ｉ側から保護管３へ被せることができる。そして、筒状基体６を保護管３へ被せた後には、筒状基体６の外周面６ｅにバインド線（図示せず）を巻き、そのバインド線で筒状基体６の外周面６ｅを締め付けることで、この筒状基体６は、保護管３に取付固定される。
【００２７】
このスリット６ｉは、一方の端面６ａ側と他方の端面６ｄ側において、互いに周方向にずれた位置にて軸方向に延びる垂直部６ｊ、６ｊと、中間位置においてそれら垂直部６ｊ、６ｊを繋ぐように斜めに延びる傾斜部６ｋとから構成されている。こうして、スリット６ｉが傾斜部６ｋを有するにも拘わらず、両端面６ａ、６ｄ側に垂直部６ｊ、６ｊを設けることで、外周面６ｅを締め付けたときに、スリット６ｉを挟む両側が軸方向にずれることがない。
【００２８】
また、筒状基体６は、その外周面６ｅから突出するようにして取付部６ｍを有し、その取付部６ｍには取付孔６ｎが設けられる。そこで、釘とかビス等の固着具９を、取付孔６ｎに挿入し、基礎１に打ち込んだりねじ込んだりすることで、この筒状基体６は、基礎１に固定される。
【００２９】
第２防蟻具８は、前述したように防蟻成分を含有するが、その防蟻成分としては、筒状基体６における防蟻成分と同様の成分が挙げられ、筒状基体６の場合と同様に、防蟻成分を適宜選択し、また、その含有率を調整することで、第２防蟻具８は、シロアリを忌避する忌避機能を備えたり、シロアリを殺虫する殺虫機能を備えたりする。
【００３０】
この第２防蟻具８は、保護管３の先端部分において、第１防蟻具５（図示実施の形態においては、筒状基体６）と重なる位置に、配線・配管材２の外周面と保護管３の内周面との間を閉塞するように装着される。
【００３１】
ここで、第２防蟻具８は、例えば、防蟻成分を含有するとともにクッション性を有する材料により形成される。詳細には、第２防蟻具８は、防蟻成分を含有する不織布からなり、配線・配管材２に巻き付けられる。そして、この不織布からなる第２防蟻具８は、内周面が粘着性を有しないのに対し、外周面が粘着性を有して、その粘着性を有しない内周面が配線・配管材２の外周面に接し、粘着性を有する外周面が保護管３の内周面に接する。その結果、前述したように、第２防蟻具８の外周面と保護管３の内周面とが接触することによるそれら第２防蟻具８と保護管３との前記長手方向Ｐへの相対移動の抵抗が、第２防蟻具８の内周面と配線・配管材２の外周面とが接触することによるそれら第２防蟻具８と配線・配管材２との前記長手方向Ｐへの相対移動の抵抗よりも大となる。
【００３２】
もっとも、図示実施の形態においては、保護管３は、波付き管からなり、その内周面には、凹凸が連続して形成されている。このため、その凹凸における凹部にクッション性を有する第２防蟻具８が入り込むことで前記抵抗が増加する。したがって、このような場合には、第２防蟻具８の外周面が粘着性を備えることは必ずしも必要ではない。
【００３３】
次に、第一の実施の形態に示す防蟻構造４の作用効果について説明する。この防蟻構造４によると、第１防蟻具５は、防蟻成分を含有し、基礎１を貫通する保護管３に対し、建物内において、保護管３の外周面を被うように取り付けられる。この第１防蟻具５は、防蟻成分を含有する材料により形成された筒状基体６を備える。この筒状基体６は、筒の一方の端面６ａが基礎１の表面に当接するようにして保護管３に嵌められる。これにより、第１防蟻具５は、基礎１の形成後に取り付ける、つまり後付けすることができる。そして、シロアリが、保護管３と基礎１との境界部分を通って侵入しようとしても、第１防蟻具５における筒状基体６が妨げとなり、シロアリのそれ以上の進行を防ぐことができる。
【００３４】
また、第２防蟻具８は、防蟻成分を含有し、保護管３内において、配線・配管材２の外周面と保護管３の内周面との間を閉塞するように装着される。これにより、第２防蟻具８は、基礎１の形成後に取り付ける、つまり後付けすることができる。そして、シロアリが、保護管３内を通って侵入しようとする場合には、その保護管３内にある第２防蟻具８が妨げとなり、シロアリのそれ以上の進行を防ぐことができる。
【００３５】
そして、第２防蟻具８は、保護管３内において、第１防蟻具５が取り付けられた位置と重なる。これにより、保護管３内が、第１防蟻具５と第２防蟻具８とで、建物内に対し遮断される。したがって、保護管３内を通って進行するシロアリが、保護管３を破って侵入しようとしても、第１防蟻具５が妨げとなり、シロアリのそれ以上の進行を防ぐことができる。
【００３６】
このようにして、第１防蟻具５が、建物内において保護管３の外周面に取り付けられ、第２防蟻具８が、保護管３内の第１防蟻具５と重なる位置に装着されることで、これら第１および第２防蟻具５、８を後付けすることができ、かつ、これら第１および第２防蟻具５、８により、シロアリの侵入を的確に防止することができる。
【００３７】
また、第１防蟻具５における筒状基体６は、その筒状基体６の内周面６ｂの軸方向寸法６ｕが、その筒状基体６と保護管３との境界部分を進むシロアリの歩行限界距離よりも長く形成される。そして、筒状基体６は、その筒状基体６の一方の端面６ａの内外周間寸法６ｖが、その筒状基体６と基礎１との境界部分を進むシロアリの歩行限界距離よりも長く形成される。さらに、筒状基体６は、その筒状基体６の内周面６ｂと一方の端面６ａとの交わるコーナー６ｃから、他方の端面６ｄおよび外周面６ｅまでの寸法６ｗが、その間を筒状基体６の内部を進むシロアリの歩行限界距離よりも長く形成される。こうして、筒状基体６の各寸法を、シロアリの歩行限界距離よりも長く形成することで、シロアリの侵入を一層的確に防止することができる。
【００３８】
また、筒状基体６にスリット６ｉが設けられることで、この筒状基体６を保護管３に嵌めた後に、スリット６ｉを閉じるように保護管３を、例えばバインド線を用いて締め付けることで、この筒状基体６を、保護管３に密着させることができる。
【００３９】
また、第２防蟻具８が、クッション性を有することで、配線・配管材２および保護管３に対する密着度を高めることができる。ここにおいて、第２防蟻具８を保護管３内に配置するにあたっては、保護管３内に挿通されて配設された配線・配管材２に対し、保護管３の外において配線・配管材２に第２防蟻具８を装着する。そこで、第２防蟻具８がクッション性を有することから、その第２防蟻具８を径小となるように圧縮して保護管３内に押し入れることができる。そして、保護管３内において、第２防蟻具８は、その復元力により保護管３の内周面に密着する。また、第２防蟻具８と配線・配管材２とは、その配線・配管材２の長手方向Ｐに相対移動可能となるように、それら第２防蟻具８の内周面と配線・配管材２の外周面とが接触している。このため、配線・配管材２をその長手方向Ｐに移動させることなく、第２防蟻具８のみを保護管３内へと移動させることができる。
【００４０】
また、第２防蟻具８の外周面と保護管３の内周面とが接触することによるそれら第２防蟻具８と保護管３との長手方向Ｐへの相対移動の抵抗が、第２防蟻具８の内周面と配線・配管材２の外周面とが接触することによるそれら第２防蟻具８と配線・配管材２との長手方向Ｐへの相対移動の抵抗よりも大となっている。これにより、配線・配管材２がその長手方向Ｐに移動しても、第２防蟻具８は、移動することがない。このため、その第２防蟻具８を保護管３内の所定の位置に保持したまま、配線・配管材２の配設作業を行なうことができる。
【００４１】
図５は、本発明の第二の実施の形態を示す。この実施の形態の防蟻構造４は、第一の実施の形態とは、第１防蟻具５がテープ巻き部７を備え、また、保護管３には、接続具１０（継手）を介して他の保護管１１が接続されるが、他はほぼ同様であり、以下に、同様の部位には同一の符号を付して、異なる部分を主に説明する。
【００４２】
この防蟻構造４においては、建物内において、保護管３は、筒状基体６から突出して延びている。そして、その延びた先には、その保護管３に続いて配線・配管材２が挿通される他の保護管１１が、接続具１０を介して接続される。
【００４３】
そこで、第１防蟻具５は、筒状基体６の他に、テープ巻き部７を備え、そのテープ巻き部７は、防蟻成分を含有する防蟻テープ７ａが保護管３における筒状基体６と接続具１０との間を被うよう巻かれて形成される。そして、第２防蟻具８は、保護管３の先端部分において、前記テープ巻き部７と重なる位置に、配線・配管材２の外周面と保護管３の内周面との間を閉塞するように装着される。
【００４４】
具体的には、接続具１０は、配線・配管材２が挿通されるよう筒状に形成されている。そして、接続具１０の各端側に、保護管３と他の保護管１１の端部がそれぞれ嵌められて支持される。
【００４５】
防蟻テープ７ａは、前述したように防蟻成分を含有するが、その防蟻成分としては、筒状基体６における防蟻成分と同様の成分が挙げられ、筒状基体６の場合と同様に、防蟻成分を適宜選択し、また、その含有率を調整することで、防蟻テープ７ａ、つまりテープ巻き部７は、シロアリを忌避する忌避機能を備えたり、シロアリを殺虫する殺虫機能を備えたりする。そして、防蟻テープ７ａは、例えば、防蟻成分を含有するパテ状のブチルゴムを片面に有し、そのブチルゴムの面を内側にして、保護管３に巻き付けられる。
【００４６】
また、第２防蟻具８の配線・配管材２への装着あたっては、接続具１０を保護管３から外した後に、それら保護管３と接続具１０との間の隙間から、第一の実施の形態と同様にして、装着の作業が行なわれる。
【００４７】
また、図示実施の形態においては、第３防蟻具１２が、他の保護管１１の先端部分において、配線・配管材２の外周面と他の保護管１１の内周面との間を閉塞するように装着される。この第３防蟻具１２は、第２防蟻具８と同様の材料からなり、この第３防蟻具１２の配線・配管材２への装着あたっては、接続具１０を他の保護管１１から外した後に、それら他の保護管１１と接続具１０との間の隙間から、第２防蟻具８と同様にして、装着の作業が行なわれる。
【００４８】
この第二の実施の形態に示す防蟻構造４の作用効果は、第一の実施の形態に示す防蟻構造４と同様であるが、保護管３に続いて他の保護管１１が、接続具１０を介して接続されることから、建物内においても、配線・配管材２を露出しないようにすることができる。
【００４９】
図６は、本発明の第三の実施の形態を示す。この実施の形態は、第一の実施の形態とは、保護管３の、材料および筒状基体６からの突出量、並びに第２防蟻具８の配置位置が異なるが、他は同様であり、以下に、同様の部位には同一の符号を付して、異なる部分を主に説明する。
【００５０】
この防蟻構造４においては、保護管３は、防蟻成分を含有する合成樹脂により形成される。この防蟻成分としては、筒状基体６における防蟻成分と同様の成分が挙げられ、筒状基体６の場合と同様に、防蟻成分を適宜選択し、また、その含有率を調整することで、保護管３は、シロアリを忌避する忌避機能を備えたり、シロアリを殺虫する殺虫機能を備えたりする。そして、保護管３は、第一の実施の形態における保護管３よりも、筒状基体６から長く突出している。ここにおいて、保護管３は、二種類の材料が積層された二層管からなっていてもよく、この場合には、外層が、防蟻成分を含有する材料（例えば、防蟻成分を含有する合成樹脂）により形成されてもよい。
【００５１】
そこで、第２防蟻具８は、保護管３内にあって配線・配管材２の外周面に装着される。詳細には、第２防蟻具８は、第１防蟻具５（図示実施の形態においては、筒状基体６）が取り付けられた位置とは重ならない位置に、配線・配管材２の外周面と保護管３の内周面との間を閉塞するように装着される。もっとも、第２防蟻具８は、第１防蟻具５が取り付けられた位置と重なる位置に装着されてもよい。また、第２防蟻具８は、配線・配管材２の外周面と保護管３の内周面との間を閉塞するように装着されているが、閉塞することなく装着されてもよい。すなわち、第２防蟻具８は、その第２防蟻具８の外周面と保護管３の内周面との間に隙間が形成されるようにして装着されてもよい。
【００５２】
次に、第三の実施の形態に示す防蟻構造４の作用効果について説明する。この防蟻構造４によると、第１防蟻具５は、防蟻成分を含有し、基礎１を貫通する保護管３に対し、建物内において、保護管３の外周面を被うように取り付けられる。この第１防蟻具５は、防蟻成分を含有する材料により形成された筒状基体６を備え、筒状基体６は、筒の一方の端面６ａが基礎１の表面に当接するようにして保護管３に嵌められる。これにより、第１防蟻具５は、基礎１の形成後に取り付ける、つまり後付けすることができる。そして、保護管３自身が、防蟻成分を含有する合成樹脂により形成されているため、シロアリが、保護管３の外周面上とか内周面上を通って侵入し難く、また、保護管３を食い破ってその内外周面間を行き来し難い。ここで、仮に、シロアリが、保護管３と基礎１との境界部分を通って侵入しようとしても、第１防蟻具５における筒状基体６が妨げとなり、シロアリのそれ以上の進行を防ぐことができる。
【００５３】
また、第２防蟻具８は、防蟻成分を含有し、保護管３内において、配線・配管材２の外周面に装着される。これにより、第２防蟻具８は、基礎１の形成後に取り付ける、つまり後付けすることができる。そして、シロアリが、保護管３内において、配線・配管材２の外周面上を通って侵入しようとする場合には、その保護管３内にある第２防蟻具８が妨げとなり、シロアリのそれ以上の進行を防ぐことができる。ここで、特に、第２防蟻具８が、配線・配管材２の外周面と保護管３の内周面との間を閉塞するように装着されると、保護管３内を進行するシロアリが第２防蟻具８を越えて進むことを確実に防ぐことができる。
【００５４】
このようにして、第１防蟻具５が、建物内において保護管３の外周面に取り付けられ、第２防蟻具８が、保護管３内に装着されることで、これら第１および第２防蟻具５、８を後付けすることができ、かつ、これら第１および第２防蟻具５、８、並びに防蟻成分を含有する保護管３により、シロアリの侵入を的確に防止することができる。
【００５５】
また、筒状基体６におけるシロアリの歩行限界距離に関する作用効果等、その他の作用効果については、第一の実施の形態と同様である。
【００５６】
なお、本発明は、上述した実施の形態に限定されるわけではなく、その他種々の変更が可能である。例えば、基礎１は、床下に配設される底盤でなくとも、その底盤から起立する立上り壁等であってもよい。さらに、防蟻構造４が対象とするのは、建物の基礎１の他に、建物の床とか壁であってもよい。すなわち、この防蟻構造４は、建物における基礎、床または壁からなる構造体を対象とする。
【００５７】
また、保護管３は、基礎１（構造体）を貫通するようにして基礎１（構造体）に埋設されているが、埋設されるのではなく、基礎１（構造体）に予めあけられた貫通孔に対して挿入されてもよい。すなわち、保護管３は、埋設の有無を問わず、基礎１（構造体）を貫通するものであればよい。
【００５８】
また、筒状基体６は、防蟻成分を含有するゴムにより形成されなくとも、防蟻成分を含有していれば、他の材料により形成されてもよい。ここで、筒状基体６が、硬質の材料により形成される場合には、この筒状基体６は、保護管３に、その先端から嵌められて取り付けられる。
【００５９】
また、筒状基体６には、スリット６ｉが一つ設けられているが、複数設けられることで、筒状基体６が、複数の分割体からなっていてもよい。また、反対に、筒状基体６には、スリット６ｉが設けられなくともよい。そして、この場合には、上記と同様に、筒状基体６は、保護管３に、その先端から嵌められて取り付けられる。
【００６０】
また、筒状基体６を保護管３に取付固定するにあたって、締め具としてのバインド線が用いられるが、帯状の締め具等、その他の締め具が用いられてもよい。もっとも、この締め具は、必要なければ、なくともよい。
【００６１】
また、第２防蟻具８は、クッション性を有しておれば、不織布からならなくとも、ゴム等からなっていてもよい。また、第２防蟻具８は、クッション性を有する材料により形成されなくともよい。
【００６２】
また、第二の実施の形態において、接続具１０および他の保護管１１を設けることなく、配線・配管材２が、保護管３の先端から露出するようにしてもよい。そして、この場合には、テープ巻き部７は、防蟻成分を含有する防蟻テープ７ａが保護管３における筒状基体６から突出した部分を覆うよう巻かれて形成される。
【００６３】
また、第二の実施の形態において、他の保護管１１内には、第３防蟻具１２が装着されているが、この第３防蟻具１２はなくともよい。
【００６４】
また、図７に示すように、第２防蟻具８と配線・配管材２との間に、第２防蟻具８の防蟻成分が配線・配管材２に移行するのを防止するシート材１３が配置されてもよい。このシート材１３は、例えば、ステンレスとかアルミ等の金属からなる。そして、シート材１３は、テープ状に形成されて、配線・配管材２に巻かれる。これにより、第２防蟻具８が防蟻成分とともに有機溶剤を含有する場合であっても、その有機溶剤が配線・配管材２に移行することがない。このことは、配線・配管材２が、架橋ポリエチレン管等の合成樹脂管からなる給水・給湯管（給水管または給湯管）である場合には、有効に作用する。また、ここで、配線・配管材２が、断熱材としての発泡材で被覆された発泡被覆付きの給水・給湯管である場合には、部分的にその発泡被覆を除去して給水・給湯管を露出させ、その露出させた部分にシート材１３を巻き付けるのがよい。また、この図７は、図１に示す例に対してシート材１３を追加したものであるが、他の例においても、シート材１３を追加してよいのは勿論である。
【００６５】
また、図８に示すように、追加的に、筒状基体６を床板１４部分に設置してもよい。すなわち、この実施の形態においては、保護管３および配線・配管材２は、基礎１を貫通し、さらに、その基礎１の上方に位置する床板１４を貫通する。そして、第１防蟻具５を構成する筒状基体６が二つ用いられ、一方は、基礎１部分に設置され、もう一方は、床板１４部分に設置される。この床板１４部分の筒状基体６は、その筒状基体６の一方の端面６ａが床板１４の裏面に当接するようにして保護管３に嵌められて取付け設置される。そして、テープ巻き部７は、防蟻成分を含有する防蟻テープ７ａが保護管３における筒状基体６、６間を被うよう巻かれて形成される。そして、第２防蟻具８は、第１防蟻具５（詳しくは、床板１４部分の筒状基体６）と重なる位置に、配線・配管材２の外周面と保護管３の内周面との間を閉塞するように装着される。もっとも、テープ巻き部７にあっては、保護管３が、防蟻成分を含有する合成樹脂により形成される場合には、そのテープ巻き部７は、無くともよい。なお、図中符号９ａは、筒状基体６を床板１４に固定するための固着具を示す。
【００６６】
また、特に、保護管３が防蟻成分を含有しない場合には、基礎１（構造体）内の保護管３に、その保護管３を被う防蟻材が設けられてもよい。
【符号の説明】
【００６７】
１  基礎（構造体）
２  配線・配管材
３  保護管
４  防蟻構造
５  第１防蟻具
６  筒状基体
６ａ  一方の端面
６ｂ  内周面
６ｃ  コーナー
６ｄ  他方の端面
６ｅ  外周面
６ｕ  軸方向寸法
６ｖ  内外周間寸法
６ｗ  コーナーから他方の端面および外周面までの寸法
７  テープ巻き部
７ａ  防蟻テープ
８  第２防蟻具
１０  接続具
１１  他の保護管
１３  シート材
Ｐ  長手方向
【図１】
0006336645.tif 000002
【図２】
0006336645.tif 000003
【図３】
0006336645.tif 000004
【図４】
0006336645.tif 000005
【図５】
0006336645.tif 000006
【図６】
0006336645.tif 000007
【図７】
0006336645.tif 000008
【図８】
0006336645.tif 000009
【図９】
0006336645.tif 000010